(57)【要約】【課題】  人為的に鮎竿を保持することなく、自由に両手を使って囮や仕掛けの取換えを行い得る釣り用ウエアを提供する。【解決手段】  釣り用ベストＡの肩部１Ｃに、鮎竿２に設けた他方の面ファスナー部分３Ｂに係合して、鮎竿２を、穂先側が川下側に位置する状態で、元竿４を肩部１Ｃで保持すべく、一方の面ファスナー部分３Ａを設けてある。【選択図】        図１
2008011815.tif 000002
【特許請求の範囲】
【請求項１】
肩部に、釣り竿に設けた被保持部に係合して、前記釣り竿を前記肩部で保持する保持部を設けてある釣り用ウエア。
【請求項２】
前記保持部が、面ファスナーを構成する一方の面ファスナー部分である請求項１記載の釣り用ウエア。
【請求項３】
前記保持部が、互いに係合離脱自在な係止フックと係止リングとのいずれか一方を装着して構成してある請求項１記載の釣り用ウエア。
【発明の詳細な説明】
【技術分野】
【０００１】
本発明は、釣り用ウエアに関する。
【背景技術】
【０００２】
釣り用ウエアとしての釣り用ベストにおいては、前身頃や後身頃には、釣り針や錘り等の釣り用備品を収納する収納部等が設けてあるが、肩部には、特に収納部等は設けられてはなかった（特許文献１参照）。
【０００３】
【特許文献１】特開２００４−１５９６１９号公報（段落番号〔００２５〕〔００２６〕、及び、図１）
【発明の開示】
【発明が解決しようとする課題】
【０００４】
ところで、鮎釣りにおいては次ぎのような課題が提示されている。
つまり、釣り人が川の流れの中に立ちこんで釣りを行っている場合に、囮や仕掛けをその場で取り換える必要がある。その場合に鮎竿Ａの取扱いが問題となる。現状では、元竿を肩に掛け、中竿及び穂先竿を下流方向に向けて川に浮かせ、両手を自由にした状態を確保して、囮や仕掛けを取り換えることを行っていた。
また、別の方法としては、穂先を上に元竿を下にする縦向き姿勢に竿を立てた状態で、元竿を肩に掛け、片方の腕を元竿のグリップ部分を上から押さえる状態に掛けて又は竿を首にあてがった状態で鮎竿の姿勢を確保し、両手を自由に使える状態にして、囮や仕掛けを取り換えることを行っていた。
しかし、いずれにしても、肩に掛けた元竿に対しては、肩を持上げてその肩で元竿を首に押し付ける状態を維持しながら、囮を交換する必要がある。確かに、両手を自由にできる面はあるが、鮎竿を保持する点に意を配しながらの交換になるところから、釣り人の姿勢も肩を持上げる窮屈なものと成らざるを得ず、囮交換等の煩わしさは十分解消されてはいなかった。
【０００５】
本発明の目的は、人為的に鮎竿を保持することなく、自由に両手を使って囮や仕掛けの取換えを行い得る釣り用ウエアを提供する点にある。
【課題を解決するための手段】
【０００６】
〔構成〕
請求項１に係る発明の特徴構成は、肩部に、釣り竿に設けた被保持部に係合して、前記釣り竿を前記肩部で保持する保持部を設けてある点にあり、その作用効果は次の通りである。
【０００７】
〔作用〕
釣り竿に設けた被保持部を釣り用ウエアの肩部に設けた保持部に係合させることによって、釣り竿を釣り用ウエアに保持でき、牽いては、その釣り用ウエアを身に付けた釣り人に釣り竿を保持できる。
したがって、釣り人は従来のように、元竿を肩に掛け首に竿をあてがった状態で釣り竿を保持する必要がなく、かつ、両手を自由に使用することができる。
【０００８】
〔効果〕
このように、釣り用ウエアの肩部に保持部を設けるだけの簡単な改良を加えるだけで、釣り人が人為的に釣り竿を保持する負担を無くすことができた。川の流れの中に立ちこんで釣りを行う場合においても、囮や仕掛けの取換え時に釣り竿の処理に苦慮することなく、囮や仕掛けの取換えを一層容易に行い得ることとなった。
【０００９】
請求項２に係る発明の特徴構成は、請求項１に係る発明において、前記保持部が、面ファスナーを構成する一方の面ファスナー部分である点にあり、その作用効果は次の通りである。
【００１０】
〔作用効果〕
つまり、保持部を構成するに、面ファスナーという簡単な構成のものを導入することによって、釣り竿を釣り用ウエアに保持でき、川の流れの中に立ちこんで釣りを行う場合においても、囮や仕掛けの取換え時に釣り竿の処理に苦慮することなく、囮や仕掛けの取換えを一層容易に行い得ることとなった。
【００１１】
請求項３に係る発明の特徴構成は、請求項１に係る発明において、前記保持部が、互いに係合離脱自在な係止フックと係止リングとのいずれか一方を装着して構成してある点にあり、その作用効果は次の通りである。
【００１２】
〔作用効果〕
つまり、保持部を構成するに、互いに係合離脱自在な係止フックと係止リングという簡単な構成のものを導入することによって、釣り竿を釣り用ウエアに保持でき、川の流れの中に立ちこんで釣りを行う場合においても、囮や仕掛けの取換え時に釣り竿の処理に苦慮することなく、囮や仕掛けの取換えを一層容易に行い得ることとなった。
【発明を実施するための最良の形態】
【００１３】
〔第１実施形態〕
釣り用ウエアとしての釣り用ベストＡの構成について説明する。図１に示すように、釣り用ベストＡは、左右の前身頃部分１Ａ、１Ａをファスナー１ａによって開閉自在に構成してあり、左右前身頃部分１Ａ、１Ａに釣り用備品等を収納する為の収納部１Ｂを複数個設けてある。
【００１４】
左前身頃部分１Ａの肩部１Ｃに、釣り竿としての鮎竿２を保持する保持部Ｂを設けてある。保持部Ｂは、面ファスナー３を利用している。つまり、面ファスナー３は、鉤状突起を立設した一方の面ファスナー部分３Ａと鉤状突起に係合離脱自在なループ状突起を立設した他方の面ファスナー部分３Ｂとで構成される。
【００１５】
上記のような構成になる面ファスナー３を構成する一方の面ファスナー部分３Ａか又は他方の面ファスナー部分３Ｂを選択して、図１及び図２に示すように、その選択した面ファスナー部分３Ａ又は３Ｂを、肩部１Ｃに取り付ける。
肩部１Ｃに取り付ける方法としては、接着剤で接着する方法とともに、ドッドボタン等を利用して着脱自在なものとしてもよい。このように、着脱自在な構成とすることによって、メインテナンス時又は取り換えを行う際に有効である。
【００１６】
このような構成になる釣り用ベストＡに対して、その肩部１Ｃに載せて保持される釣り竿側に設ける被保持部Ｃの構成について説明する。図２（イ）に示すように、釣り竿としての鮎竿２について説明すると、元竿４の竿尻端に尻栓７を螺着して鮎竿２を構成してある。元竿４の竿元側端部４Ｂの外周面に対して、図２（イ）に示すように、前記選択した面ファスナー部分３Ａ又は３Ｂを、被保持部Ｃとして取り付け固定する。
【００１７】
選択した面ファスナー部分３Ａ又は３Ｂは次のような構成を採る。図２（ロ）に示すように、面ファスナー部分３Ａ又は３Ｂを皮革製等の基台に取付固定するとともに、基台に締結用ベルト９を装備してある。締結用ベルト９は左右のベルト部９Ａ、９Ｂで構成されており、左右ベルト部９Ａ、９Ｂの先端部分に左右ベルト部９Ａ、９Ｂを締結する為の小型面ファスナー部分９ａ，９ｂが取り付けてある。
【００１８】
以上のような構成により、鮎竿２に締結用ベルト９を装着するには、図２（イ）に示すように、左右のベルト部９Ａ、９Ｂを、元竿４の外周面に掛け回した状態で、小型面ファスナー部分９ａ、９ｂ同士を重ね合わせて左右のベルト部９Ａ、９Ｂ同士を連結し、選択された面ファスナー部分３Ａ又は３Ｂを元竿４に取付固定する。
【００１９】
以上のように、釣り用ベストＡの肩部１Ｃに面ファスナー３の一方の面ファスナー部分３Ａを取付け、鮎竿２の元竿４に他方の面ファスナー部分３Ｂを取付固定する。これによって、図１に示すように、鮎竿２の元竿４の他方の面ファスナー部分３Ｂを下向きにして、その部分を釣り用ベストＡの肩部１Ｃに固定した一方の面ファスナー部分３Ａに載置し、鮎竿２の穂先側を川下に向けて伸ばすことによって、鮎竿２を釣り人に保持させることができる。
ここに、釣り用ベストＡの肩部１Ｃに取り付けた一方の面ファスナー部分３Ａを保持部と称し、鮎竿２の元竿４に取り付けた他方の面ファスナー部分３Ｂを被保持部と称する。
【００２０】
これによって、釣り人は、川に立ちこんで腰まで漬かり乍、釣りを続ける場合において、囮を取り換える場合には、鮎竿２を肩に持たせ掛けて、両手を自由に動かせる状態にして、取り換えを行うことができ、取り換えを容易に行えるようになった。
【００２１】
〔第２実施形態〕
ここでは、互いに係合離脱自在な係止フック１１と係止リング１２とのいずれか一方を鮎竿２の被保持部Ｃとして、係止フック１１と係止リング１２とのいずれか他方を釣り用ベストＡに取り付ける保持部Ｂとして選択する構成について説明する。説明の都合上、鮎竿２に取り付ける被保持部Ｃとして係止フック１１を選択し、釣り用ベストＡに取り付ける保持部Ｂとして係止リング１２を選択する構成について説明する。
【００２２】
図３（イ）（ロ）に示すように、釣り用ベストＡの左前身頃部分１Ａの肩部１Ｃに、皮革製の帯状ブラケット１３を、その帯状ブラケット１３の両端を縫い付けて取り付けるとともに、その肩部１Ｃと帯状ブラケット１３の中間部との間に係止リング１２の基端部を挿入し、係止リング１２を帯状ブラケット１３に揺動自在に支持してある。
【００２３】
一方、鮎竿２側には、前記したように、元竿４に係止フック１１を取付てある。図３（ロ）に示すように、元竿４の外周面に係止フック１１の基端部を載置するとともに、この係止フック１１の基端部を元竿４の外周面に巻回した取付用の糸ａによって取付固定している。係止フック１１は、基端部を中心にして左右に揺動可能に構成してある。
【００２４】
このように係止フック１１は、基端部を中心にして左右に揺動可能に構成してあるので、使用する場合には径方向に沿った状態で立設するとともに、使用しない場合には横に寝かせて邪魔に成らないようにできる構成を採っている。
係止フック１１は、金属製であり、チタンやステンレス等の材料が用いられる。
【００２５】
上記構成においては、係止フック１１を取付用の糸ａによって取付固定する構成を採ったが、面ファスナー３の取付方法と同様にベルト式に取付け固定する方式を採ってもよい。つまり、図３（ハ）に示すように、係止フック１１を皮革製等の基台１４に取付固定するとともに、基台１４に締結用ベルト１５を装備してある。締結用ベルト１５は左右のベルト部１５Ａ、１５Ｂで構成されており、左右ベルト部１５Ａ、１５Ｂの先端部分に左右ベルト部１５Ａ、１５Ｂを締結する為の小型面ファスナー部分１５ａ，１５ｂが取り付けてある。
【００２６】
以上のような構成により、鮎竿２に締結用ベルト１５を装着するには、図示してはいないが、左右のベルト部１５Ａ、１５Ｂを、元竿４の外周面に掛け回した状態で、小型面ファスナー部分１５ａ、１５ｂ同士を重ね合わせて左右のベルト部１５Ａ、１５Ｂ同士を連結し、鮎竿２に係止フック１１を取付固定する。
【００２７】
基台１４に装着している基端部を中心にして、係止フック１１を左右揺動可能に構成することができるので、前記したように、使用する場合には径方向に沿った状態で立設するとともに、使用しない場合には横に寝かせて邪魔に成らないように構成できる。
【００２８】
〔第３実施形態〕
ここでは、鮎竿２側に特別の機構を設けない場合にも、鮎竿２を釣り用ベストＡの肩部１Ｃに載置して保持できる機構について説明する。図４に示すように、釣り用ベストＡの肩部１Ｃに、皮革や合成樹脂製のベルト部材１６の長手方向中心部分を縫い付けて、ベルト部材１６を取付固定するとともに、自由状態にある両端部分に小型面ファスナー部分１６ａ、１６ｂを取り付けてある。
肩部１Ｃに縫い付けられた中心部には、フェルト等のクッション性のある受止材１６Ａが装着されており、載置した鮎竿２を確りと保持する構成となっている。
【００２９】
図４に示すように、鮎竿２を釣り用ベストＡの肩部１Ｃに保持する場合には、鮎竿２の元竿４における竿元側端部の大径部を受止材１６Ａの上に載置した状態で、ベルト部材１６を竿元側端部の大径部に巻付けて、小型面ファスナー部分１６ａ、１６ｂを係合させて締め付け固定する。
この締め付け固定する場合に、元竿４は、竿尻側程大径化する構成を採っているので、ベルト部材１６が作用している部分より竿尻側の方が大径になっており、この大径に成っていることによって、抜け止め機能を発揮させることとなっている。したがって、この場合には、鮎竿２側の被保持部はこの元竿４の竿元側端部の大径部が担うこととなる。
ここに、ベルト部材１６を保持部Ｂと称する。
【００３０】
〔第４実施形態〕
釣り竿側に設ける被保持部Ｃと、釣り竿用ベストＡの肩部１Ｃに設ける保持部Ｂとを、互いに引き合う磁石で構成する態様について説明する。図５に示すように、釣り用ベストＡの左前身頃部分１Ａの肩部１Ｃに、面ファスナー１７のリング状突起を設けた他方の面ファスナー部分１７Ｂを取付け固定するとともに、鉤状突起を立設した一方の面ファスナー部分１７Ａを前記他方の面ファスナー部分１７Ｂに対して着脱自在に構成し、この一方の面ファスナー部分１７Ａに板状の磁石１８Ａを取付固定してある。
【００３１】
前記した板状磁石１８Ａは図５（ハ）に示すように、薄板状を呈するもので、ゴムに磁石の粉末（主としてフェライト粉）を混入させてシート状に形成したものである。
磁石の粉としては、フェライトを主なものとしているが、より強力なアルニコ磁石等を使用可能である。
【００３２】
一方、鮎竿２に板状磁石１８Ｂを取り付けるには、図５（イ）に示すように、元竿４の竿元側端部４Ｂの外周面に浅い環状凹入部４Ｃを形成し、その環状凹入部４Ｃに沿って板状磁石１８Ｂを取付け接着剤で固定する。板状磁石１８Ｂを施した後においては、他の塗装部分と同様にクリア塗装を施してもよい。
ここでは、板状磁石１８Ｂを環状凹入部４Ｂに接着剤を利用して固定したが、釣り用ベストＡに装着する場合と同様に面ファスナー１７を利用して板状磁石１８Ｂを着脱自在な構成を採ってよい。また、板状磁石１８Ｂとしては、元竿４の全周に設ける必要はなく、円周方向の一部に設けるものでもよい。
【００３３】
板状磁石１８Ａの磁極を正磁極とすると、板状磁石１８Ｂの磁極を負磁極として互いに引き合うような構成とする。そこで、両板状磁石１８Ａ、１８Ｂを所定位置に取付け、鮎竿２の元竿４を、板状磁石１８Ａを装着した釣り用ベストＡの肩部１Ｃに持たせかけた状態で鮎竿２を保持できる。
ここに、板状磁石１８Ａを保持部Ｂと称し、板状磁石１８Ｂを被保持部Ｃと称する。
【００３４】
〔別実施形態〕
（１）  本発明を適用できる釣り竿としては、鮎竿２以外に渓流竿等を挙げることができる。
（２）  釣り用ウエアとして釣り用ベストＡに本発明を適用する点について説明したが、釣り用ウエアとしては、釣り用ベストＡ以外のレインスーツ等に適用できる。
【図面の簡単な説明】
【００３５】
【図１】釣り用ベストに面ファスナーを介して鮎竿を保持する前の状態を示す正面図
【図２】（イ）鮎竿の元竿に被保持部を設ける状態を示す縦断側面図、（ロ）被保持部を構成する面ファスナー部分の構成を示す斜視図
【図３】（イ）鮎竿に設けた係止フックを釣り用ベストに設けた係止リングに係合させて、鮎竿を釣り人に保持させた状態を示す斜視図、（ロ）係止フックを鮎竿に取付けた状態を示す側面図、（ハ）係止フックを締め付け用ベルトに取付けた形態を示す、別実施形態に係る斜視図
【図４】第３実施形態のベルト部材を釣り用ベストに装着した状態を示す正面図
【図５】（イ）鮎竿の元竿に保持部としての板状磁石を装着した状態を示す縦断側面図、（ロ）板状磁石を示す斜視図、（ハ）釣り用ベストに板状磁石を装着する前の状態を示す正面図
【符号の説明】
【００３６】
１Ｃ            肩部
２              釣り竿（鮎竿）
３              面ファスナー
１１            係止フック
１２            係止リング
Ｂ              保持部
【図１】
2008011815.tif 000003
【図２】
2008011815.tif 000004
【図３】
2008011815.tif 000005
【図４】
2008011815.tif 000006
【図５】
2008011815.tif 000007